(57)【要約】  記録画像の耐オゾンガス性が極めて高く、且つニュートラルで無彩色な優れた黒色の記録画像を与える水性黒色インク組成物を提供する。該インク組成物は、色素（Ｉ）として特定の式（１）で表される化合物若しくはその互変異性体又はそれらの塩を、色素（ＩＩ）として特定の式（３）で表される化合物若しくはその互変異性体又はそれらの塩を、色素（ＩＩＩ）として特定の式（４）で表される化合物又はその塩を、少なくとも１種類ずつ含有する。式（１）中、Ｒ１及びＲ２はそれぞれ独立して、水素原子；スルホ基；等を表し、Ｒ３及びＲ４はそれぞれ独立して、ハロゲン原子；スルホ基；等を表し、ｎは０又は１である。式（３）中、ｍは０又は１であり、Ｒ１０１からＲ１０３はそれぞれ独立に、水素原子；スルホ基；Ｃ１−Ｃ４アルコキシ基；を表し、基Ｄは、１つ乃至３つのスルホ基で置換された、フェニル基又はナフチル基を表す。式（４）中、Ｒ２０１からＲ２０４はそれぞれ独立に、水素原子；又は、スルホ基で置換されたＣ１−Ｃ４アルコキシ基を表す。2012002277.tif 0000662012002277.tif 0000672012002277.tif 000068
2012002277.tif 000002
【特許請求の範囲】
【請求項１】
色素（Ｉ）として、少なくとも１種類の下記式（１）で表される化合物若しくはその互変異性体、又はそれらの塩と、色素（ＩＩ）として、少なくとも１種類の下記式（３）で表される化合物若しくはその互変異性体又はそれらの塩と、色素（ＩＩＩ）として、少なくとも１種類の下記式（４）で表される化合物又はその塩と、を含有することを特徴とするインク組成物。
【化１】
2012002277.tif 000062
［式（１）中、
Ｒ１及びＲ２は、それぞれ独立に、水素原子；ハロゲン原子；シアノ基；カルボキシ基；スルホ基；スルファモイル基；Ｎ−アルキルアミノスルホニル基；Ｎ，Ｎ−ジアルキルアミノスルホニル基；Ｎ−フェニルアミノスルホニル基；ホスホ基；ニトロ基；アシル基；ウレイド基；Ｃ１−Ｃ４アルキル基；ヒドロキシ基又はＣ１−Ｃ４アルコキシ基で置換されたＣ１−Ｃ４アルキル基；Ｃ１−Ｃ４アルコキシ基；ヒドロキシ基、Ｃ１−Ｃ４アルコキシ基、スルホ基、及びカルボキシ基よりなる群から選択される少なくとも１種類の基で置換されたＣ１−Ｃ４アルコキシ基；又は、アシルアミノ基；を表し、
Ｒ３及びＲ４は、それぞれ独立に、水素原子；ハロゲン原子；シアノ基；カルボキシ基；スルホ基；ニトロ基；Ｃ１−Ｃ４アルキル基；Ｃ１−Ｃ４アルコキシ基；又は、ヒドロキシ基、Ｃ１−Ｃ４アルコキシ基、スルホ基、及びカルボキシ基よりなる群から選択される少なくとも１種類の基で置換されたＣ１−Ｃ４アルコキシ基；を表し、
ｎは０又は１であり、
基Ａは下記式（２）で表される基である。］
【化２】
2012002277.tif 000063
［式（２）中、
Ｒ５は、シアノ基；カルボキシ基；Ｃ１−Ｃ４アルキル基；Ｃ１−Ｃ４アルコキシカルボニル基；又は、フェニル基；を表し、
Ｒ６、Ｒ７、及びＲ８は、それぞれ独立に、水素原子；ハロゲン原子；シアノ基；カルボキシ基；スルホ基；ニトロ基；Ｃ１−Ｃ４アルキル基；Ｃ１−Ｃ４アルコキシ基；ヒドロキシ基、Ｃ１−Ｃ４アルコキシ基、及びスルホ基よりなる群から選択される少なくとも１種類の基で置換されたＣ１−Ｃ４アルコキシ基；又は、アシルアミノ基；を表す。］
【化３】
2012002277.tif 000064
［式（３）中、
ｍは０又は１であり、
Ｒ１０１からＲ１０３は、それぞれ独立に、水素原子；スルホ基；又は、Ｃ１−Ｃ４アルコキシ基；を表し、
基Ｄは、１つ乃至３つのスルホ基で置換された、フェニル基又はナフチル基を表す。］
【化４】
2012002277.tif 000065
［式（４）中、
Ｒ２０１からＲ２０４は、それぞれ独立に、水素原子；又は、スルホ基で置換されたＣ１−Ｃ４アルコキシ基；を表す。］
【請求項２】
前記式（１）において、
ニトロ基の置換位置が、該ニトロ基が置換するベンゼン環上のアゾ基の置換位置を１位として４位であり、
基Ａの置換位置が、該基Ａが置換するベンゼン環上のアゾ基の置換位置を１位として４位であり、
ｎが１であり、
Ｒ１、Ｒ３、及びＲ７がスルホ基であり、
Ｒ２が水素原子であり、
Ｒ４が水素原子、塩素原子、又はスルホ基であり、
Ｒ５がカルボキシ基である請求項１に記載のインク組成物。
【請求項３】
前記式（３）において、
ｍが１であり、
Ｒ１０１が水素原子又はスルホ基であり、
Ｒ１０２がＣ１−Ｃ４アルコキシ基であり、
Ｒ１０３が水素原子又はスルホ基であり、
基Ｄが、１つ又は２つのスルホ基で置換されたフェニル基、及び、３つのスルホ基で置換されたナフチル基のいずれかである請求項１又は２に記載のインク組成物。
【請求項４】
前記式（４）において、
Ｒ２０１及びＲ２０２の少なくとも一方がスルホプロポキシ基であり、
Ｒ２０３及びＲ２０４の少なくとも一方がスルホプロポキシ基である請求項１乃至３のいずれか一項に記載のインク組成物。
【請求項５】
インク組成物中に含有する色素の総質量において、前記色素（Ｉ）の比率が１０〜８０質量％であり、前記色素（ＩＩ）の比率が１０〜８０質量％であり、前記色素（ＩＩＩ）の比率が１０〜４０質量％である請求項１乃至４のいずれか一項に記載のインク組成物。
【請求項６】
請求項１乃至５のいずれか一項に記載のインク組成物をインクとして用い、該インクの液滴を記録信号に応じて吐出させて被記録材に付着させることにより、記録を行うインクジェット記録方法。
【請求項７】
前記被記録材が情報伝達用シートである請求項６に記載のインクジェット記録方法。
【請求項８】
前記情報伝達用シートが、多孔性白色無機物を含有するインク受容層を有するシートである請求項７に記載のインクジェット記録方法。
【請求項９】
請求項１乃至５のいずれか一項に記載のインク組成物、又は、
請求項６乃至８のいずれか一項に記載のインクジェット記録方法、により着色された着色体。
【請求項１０】
請求項１乃至５のいずれか一項に記載のインク組成物を含有する容器が装填されたインクジェットプリンタ。
【発明の詳細な説明】
【技術分野】
【０００１】
本発明は、特定の３種類の色素を含有するインク組成物、該インク組成物を用いたインクジェット記録方法、及び該インク組成物によって着色された着色体に関する。
【背景技術】
【０００２】
各種のカラー記録方法の中でも代表的方法の１つであるインクジェットプリンタによる記録方法は、インクの小滴を発生させ、これを種々の被記録材（紙、フィルム、布帛等）に付着させ記録を行うものである。この方法は、記録ヘッドと被記録材とが直接接触しないため音の発生が少なく静かである。また、小型化、高速化が容易であるという特徴を有するため、近年急速に普及しつつあり、今後とも大きな伸長が期待されている。
従来、万年筆、フェルトペン用等のインク及びインクジェット記録用のインクとしては、水溶性色素を水性媒体中に溶解した水性インクが使用されている。これらの水性インクにおいては、ペン先やインク吐出ノズルでのインクの目詰まりを防止すべく、一般に水溶性有機溶剤が添加されている。そして、これらのインクにおいては、十分な濃度の記録画像を与えること、ペン先やノズルの目詰まりを生じないこと、被記録材上での乾燥性がよいこと、滲みが少ないこと、保存安定性に優れること等が要求される。また、使用される水溶性色素には、特に水への溶解度が高いこと、インクに添加される水溶性有機溶剤への溶解度が高いことが要求される。さらに、形成される画像には、耐水性、耐光性、耐ガス性、耐湿性等の画像堅牢性が求められている。【０００３】
これらのうちで、耐ガス性とは、空気中に存在する酸化作用を持つオゾンガス等が記録紙中で色素に作用し、印刷された画像を変退色させるという現象に対する耐性のことである。オゾンガスの他にも、この種の作用を持つ酸化性ガスとしては、ＮＯｘ、ＳＯｘ等が挙げられるが、これらの酸化性ガスの中でもオゾンガスがインクジェット記録画像の変退色現象をより促進させる主原因物質とされている。このため、耐ガス性の中でも、特に耐オゾンガス性が最も重要視される傾向がある。写真画質のインクジェット専用紙の表面に設けられるインク受容層には、インクの乾燥を早め、また高画質での滲みを少なくする目的で、多孔性白色無機物等の材料が用いられることが多い。このような記録紙に記録した画像において、オゾンガスによる変退色が顕著に見られる。この酸化性ガスによる変退色現象はインクジェット画像に特徴的なものであるため、耐オゾンガス性の向上はインクジェット記録方法における最も重要な課題の１つとなっている。【０００４】
今後、インクを用いた記録（印刷）方法の使用分野を拡大すべく、インクジェット記録に用いられるインク組成物及びそれによって着色された着色体には、耐光性、耐オゾンガス性、耐湿性、耐水性のさらなる向上が強く求められている。【０００５】
種々の色相のインクが種々の色素から調製されているが、それらのうち黒色インクはモノカラー及びフルカラー画像の両方に使用される重要なインクである。しかし、濃色域と淡色域とがニュートラルな色相で、且つ、印字濃度が高く、さらに色相の光源依存性が小さい良好な黒色を呈する色素の開発は技術的に困難な点が多く、多大な研究開発が行われているがまだ十分な性能を有するものが少ない。そのため、一般には複数の多様な色素を配合して黒色インクを調整することが行われている。しかし、複数の色素を混合してインクを調整すると、単一の色素でインクを調整した場合に比べて、１）メディア（被記録材）によって色相が異なる、２）光やオゾンガスによる色素の分解によって、特に変色が大きくなる、等の問題がある。【０００６】
印刷物の各種耐久性が良好なインクジェット用黒色インク組成物としては、例えば特許文献１、２、３等が提案されている。このインク組成物は印刷物の画像堅牢性が良好であり、大きく改良がなされたインク組成物である。しかし、これらのインク組成物を単色でインクとして用いるには、ニュートラルな黒色印刷物ではないことや、さらなる高い画像堅牢性を求める市場の要求を十分に満足するに至っていない。また特許文献４及び５には、種々のインクを配合し黒色インク組成物を得る手法が開示されているが、市場の要求を満足させる高い堅牢性と発色性とを満たすインク組成物は開示されていない。
【先行技術文献】
【特許文献】
【０００７】
【特許文献１】特開２００９−８４３４６号公報
【特許文献２】国際公開第２００９／０６９２７９号
【特許文献３】国際公開第２００５／０９７９１２号
【特許文献４】国際公開第２００７／０７７９３１号
【特許文献５】特表２００９−５１２７３７号公報
【発明の概要】
【発明が解決しようとする課題】
【０００８】
本発明は、記録画像の耐オゾンガス性が極めて高く、且つ、ニュートラルで無彩色な優れた黒色の記録画像を与える水性黒色インク組成物を提供することを目的とする。
【課題を解決するための手段】
【０００９】
本発明者らは上述したような課題を解決すべく鋭意研究を重ねた結果、色素（Ｉ）として特定の式（１）で表される化合物若しくはその互変異性体又はそれらの塩を、色素（ＩＩ）として特定の式（３）で表される化合物若しくはその互変異性体又はそれらの塩を、色素（ＩＩＩ）として特定の式（４）で表される化合物又はその塩を、少なくとも１種類ずつ含有するインク組成物が上記課題を解決するものであることを見出し、本発明を完成させた。【００１０】
すなわち、本発明は
１）
色素（Ｉ）として、少なくとも１種類の下記式（１）で表される化合物若しくはその互変異性体、又はそれらの塩と、色素（ＩＩ）として、少なくとも１種類の下記式（３）で表される化合物若しくはその互変異性体又はそれらの塩と、色素（ＩＩＩ）として、少なくとも１種類の下記式（４）で表される化合物又はその塩と、を含有することを特徴とするインク組成物、
【化１】
2012002277.tif 000003
［式（１）中、
Ｒ１及びＲ２は、それぞれ独立に、水素原子；ハロゲン原子；シアノ基；カルボキシ基；スルホ基；スルファモイル基；Ｎ−アルキルアミノスルホニル基；Ｎ，Ｎ−ジアルキルアミノスルホニル基；Ｎ−フェニルアミノスルホニル基；ホスホ基；ニトロ基；アシル基；ウレイド基；Ｃ１−Ｃ４アルキル基；ヒドロキシ基又はＣ１−Ｃ４アルコキシ基で置換されたＣ１−Ｃ４アルキル基；Ｃ１−Ｃ４アルコキシ基；ヒドロキシ基、Ｃ１−Ｃ４アルコキシ基、スルホ基、及びカルボキシ基よりなる群から選択される少なくとも１種類の基で置換されたＣ１−Ｃ４アルコキシ基；又は、アシルアミノ基；を表し、
Ｒ３及びＲ４は、それぞれ独立に、水素原子；ハロゲン原子；シアノ基；カルボキシ基；スルホ基；ニトロ基；Ｃ１−Ｃ４アルキル基；Ｃ１−Ｃ４アルコキシ基；又は、ヒドロキシ基、Ｃ１−Ｃ４アルコキシ基、スルホ基、及びカルボキシ基よりなる群から選択される少なくとも１種類の基で置換されたＣ１−Ｃ４アルコキシ基；を表し、
ｎは０又は１であり、
基Ａは下記式（２）で表される基である。］
【化２】
2012002277.tif 000004
［式（２）中、
Ｒ５は、シアノ基；カルボキシ基；Ｃ１−Ｃ４アルキル基；Ｃ１−Ｃ４アルコキシカルボニル基；又は、フェニル基；を表し、
Ｒ６、Ｒ７、及びＲ８は、それぞれ独立に、水素原子；ハロゲン原子；シアノ基；カルボキシ基；スルホ基；ニトロ基；Ｃ１−Ｃ４アルキル基；Ｃ１−Ｃ４アルコキシ基；ヒドロキシ基、Ｃ１−Ｃ４アルコキシ基、及びスルホ基よりなる群から選択される少なくとも１種類の基で置換されたＣ１−Ｃ４アルコキシ基；又は、アシルアミノ基；を表す。］
【化３】
2012002277.tif 000005
［式（３）中、
ｍは０又は１であり、
Ｒ１０１からＲ１０３は、それぞれ独立に、水素原子；スルホ基；又は、Ｃ１−Ｃ４アルコキシ基；を表し、
基Ｄは、１つ乃至３つのスルホ基で置換された、フェニル基又はナフチル基を表す。］
【化４】
2012002277.tif 000006
［式（４）中、
Ｒ２０１からＲ２０４は、それぞれ独立に、水素原子；又は、スルホ基で置換されたＣ１−Ｃ４アルコキシ基；を表す。］【００１１】
２）
上記式（１）において、
ニトロ基の置換位置が、該ニトロ基が置換するベンゼン環上のアゾ基の置換位置を１位として４位であり、
基Ａの置換位置が、該基Ａが置換するベンゼン環上のアゾ基の置換位置を１位として４位であり、
ｎが１であり、
Ｒ１、Ｒ３、及びＲ７がスルホ基であり、
Ｒ２が水素原子であり、
Ｒ４が水素原子、塩素原子、又はスルホ基であり、
Ｒ５がカルボキシ基である上記１）に記載のインク組成物、
３）
上記式（３）において、
ｍが１であり、
Ｒ１０１が水素原子又はスルホ基であり、
Ｒ１０２がＣ１−Ｃ４アルコキシ基であり、
Ｒ１０３が水素原子又はスルホ基であり、
基Ｄが、１つ又は２つのスルホ基で置換されたフェニル基、及び、３つのスルホ基で置換されたナフチル基のいずれかである上記１）又は２）に記載のインク組成物、
４）
前記式（４）において、
Ｒ２０１及びＲ２０２の少なくとも一方がスルホプロポキシ基であり、
Ｒ２０３及びＲ２０４の少なくとも一方がスルホプロポキシ基である上記１）乃至３）のいずれか一項に記載のインク組成物、【００１２】
５）
インク組成物中に含有する色素の総質量において、上記色素（Ｉ）の比率が１０〜８０質量％であり、上記色素（ＩＩ）の比率が１０〜８０質量％であり、上記色素（ＩＩＩ）の比率が１０〜４０質量％である上記１）乃至４）のいずれか一項に記載のインク組成物、
６）
上記１）乃至５）のいずれか一項に記載のインク組成物をインクとして用い、該インクの液滴を記録信号に応じて吐出させて被記録材に付着させることにより、記録を行うインクジェット記録方法、
７）
上記被記録材が情報伝達用シートである上記６）に記載のインクジェット記録方法、
８）
上記情報伝達用シートが、多孔性白色無機物を含有するインク受容層を有するシートである上記７）に記載のインクジェット記録方法、
９）
上記１）乃至５）のいずれか一項に記載のインク組成物、又は、
上記６）乃至８）のいずれか一項に記載のインクジェット記録方法、により着色された着色体、
１０）
上記１）乃至５）のいずれか一項に記載のインク組成物を含有する容器が装填されたインクジェットプリンタ、
に関する。
【発明の効果】
【００１３】
本発明により、インクジェット記録画像に要求される各種の堅牢性、特に耐オゾンガス性に極めて優れ、また印字濃度も十分に高く、また彩度が低く色味のないニュートラルな高品質の黒色の記録画像を与える水性黒色インク組成物が得られる。
【発明を実施するための形態】
【００１４】
以下、本発明を詳細に説明する。
なお、以下の本明細書においては煩雑さを避けるため、「化合物」、「その互変異性体」、「それらの塩」の全てを含めて、「化合物」と簡略化して記載する。また、本発明において特に断りが無い限り、スルホ基、カルボキシ基等の酸性官能基は遊離酸の形で表す。
【００１５】
本発明のインク組成物は、特定の式で表される色素（Ｉ）、色素（ＩＩ）、及び色素（ＩＩＩ）を含有するインク組成物である。
【００１６】
本発明のインク組成物に含有される色素（Ｉ）について記載する。
本発明のインク組成物に含有される色素（Ｉ）は、上記式（１）で表される化合物である。色素（Ｉ）は少なくとも１種類の式（１）で表される化合物からなり、式（１）で表される単一の化合物からなる色素であってもよく、複数の化合物からなる色素の混合物であってもよい。なお、式（１）で表される化合物は、水溶性の染料である。
【００１７】
上記式（１）中、Ｒ１及びＲ２におけるハロゲン原子としては、フッ素原子、塩素原子、臭素原子、ヨウ素原子が挙げられ、フッ素原子、塩素原子、臭素原子が好ましく、塩素原子がより好ましい。
【００１８】
上記式（１）中、Ｒ１及びＲ２におけるＮ−アルキルアミノスルホニル基としては、直鎖又は分岐鎖のものが挙げられ、直鎖のものが好ましい。具体例としては、Ｎ−メチルアミノスルホニル基、Ｎ−エチルアミノスルホニル基、Ｎ−（ｎ−ブチル）アミノスルホニル基等のＮ−Ｃ１−Ｃ４アルキルアミノスルホニル基が挙げられる。
また、Ｎ，Ｎ−ジアルキルアミノスルホニル基としては、Ｎ，Ｎ−ジメチルアミノスルホニル基、Ｎ，Ｎ−ジ（ｎ−プロピル）アミノスルホニル基等のＮ，Ｎ−ジＣ１−Ｃ４アルキルアミノスルホニル基；等が挙げられる。
【００１９】
上記式（１）中、Ｒ１及びＲ２におけるアシル基としては、アルキルカルボニル基又はアリールカルボニル基が挙げられる。
アルキルカルボニル基としては、アルキル部分が直鎖又は分岐鎖の、通常Ｃ１−Ｃ６アルキルカルボニル基、好ましくはＣ１−Ｃ４アルキルカルボニル基が挙げられ、直鎖のものが好ましい。具体例としては、アセチル（メチルカルボニル）、プロピオニル（エチルカルボニル）、ブチリル（プロピルカルボニル）等の直鎖のもの；イソブチリル（イソプロピルカルボニル）等の分岐鎖のもの；等が挙げられる。
アリールカルボニル基としては、アリール部分の炭素数がＣ６−Ｃ１０のものが挙げられ、具体例としてはベンゾイル、ナフトイル等が挙げられる。
【００２０】
上記式（１）中、Ｒ１及びＲ２におけるＣ１−Ｃ４アルキル基としては、直鎖又は分岐鎖のものが挙げられ、直鎖のものが好ましい。具体例としては、メチル、エチル、ｎ−プロピル、ｎ−ブチル等の直鎖のもの；イソプロピル、イソブチル、ｓｅｃ−ブチル、ｔ−ブチル等の分岐鎖のもの；等が挙げられる。これらの中ではメチルが特に好ましい。
【００２１】
上記式（１）中、Ｒ１及びＲ２における、ヒドロキシ基又はＣ１−Ｃ４アルコキシ基で置換されたＣ１−Ｃ４アルキル基としては、Ｒ１及びＲ２におけるＣ１−Ｃ４アルキル基の任意の炭素原子に、ヒドロキシ基又はＣ１−Ｃ４アルコキシ基が置換したものが挙げられる。該アルキル部分については直鎖又は分岐鎖のものが挙げられ、直鎖のものが好ましい。具体例としては、２−ヒドロキシエチル、２−ヒドロキシプロピル、３−ヒドロキシプロピル等のヒドロキシＣ１−Ｃ４アルキル基；メトキシエチル、２−エトキシエチル、ｎ−プロポキシエチル、イソプロポキシエチル、ｎ−ブトキシエチル、メトキシプロピル、エトキシプロピル、ｎ−プロポキシプロピル、イソプロポキシブチル、ｎ−プロポキシブチル等のＣ１−Ｃ４アルコキシＣ１−Ｃ４アルキル基；等が挙げられる。
【００２２】
上記式（１）中、Ｒ１及びＲ２におけるＣ１−Ｃ４アルコキシ基としては、直鎖又は分岐鎖のものが挙げられ、直鎖のものが好ましい。具体例としては、メトキシ、エトキシ、ｎ−プロポキシ、ｎ−ブトキシ等の直鎖のもの；イソプロポキシ、イソブトキシ、ｓｅｃ−ブトキシ、ｔ−ブトキシ等の分岐鎖のもの；等が挙げられる。これらの中ではメトキシが特に好ましい。
【００２３】
上記式（１）中、Ｒ１及びＲ２における、ヒドロキシ基、Ｃ１−Ｃ４アルコキシ基、スルホ基、及びカルボキシ基よりなる群から選択される少なくとも１種類の基で置換されたＣ１−Ｃ４アルコキシ基としては、Ｒ１及びＲ２におけるＣ１−Ｃ４アルコキシ基の任意の炭素原子に、これらの基が置換したものが挙げられる。置換基の位置は特に制限されないが、同一の炭素原子に２つ以上の酸素原子が置換しないものが好ましい。具体例としては、２−ヒドロキシエトキシ、２−ヒドロキシプロポキシ、３−ヒドロキシプロポキシ等の、ヒドロキシ基が置換したもの；メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ等の、Ｃ１−Ｃ４アルコキシ基が置換したもの；２−スルホエトキシ、３−スルホプロポキシ、４−スルホブトキシ等の、スルホ基が置換したもの；カルボキシメトキシ、２−カルボキシエトキシ、３−カルボキシプロポキシ等の、カルボキシ基が置換したもの；等が挙げられる。
これらの中ではスルホ基で置換されたＣ１−Ｃ４アルコキシ基が好ましい。
【００２４】
上記式（１）中、Ｒ１及びＲ２におけるアシルアミノ基としては、アルキルカルボニルアミノ基又はアリールカルボニルアミノ基が挙げられる。
アルキルカルボニルアミノ基としては、アルキル部分が直鎖又は分岐鎖の、通常Ｃ１−Ｃ６アルキルカルボニルアミノ基、好ましくはＣ１−Ｃ４アルキルカルボニルアミノ基が挙げられ、直鎖のものが好ましい。具体例としては、アセチルアミノ（メチルカルボニルアミノ）、プロピオニルアミノ（エチルカルボニルアミノ）、ブチリルアミノ（プロピルカルボニルアミノ）等のアルキル部分が直鎖のもの；イソブチリルアミノ（イソプロピルカルボニルアミノ）等のアルキル部分が分岐鎖のもの；等が挙げられる。
アリールカルボニルアミノ基としては、アリール部分の炭素数がＣ６−Ｃ１０のものが挙げられ、具体例としてはベンゾイルアミノ、ナフトイルアミノ等が挙げられる。
【００２５】
上記式（１）におけるＲ１及びＲ２としては、水素原子、カルボキシ基、スルホ基、Ｃ１−Ｃ４アルコキシ基、スルホ基で置換されたＣ１−Ｃ４アルコキシ基が好ましい。より好ましくは、いずれか一方が水素原子、他方が水素原子以外の基；又は、いずれか一方がスルホ基、他方がスルホ基で置換されたＣ１−Ｃ４アルコキシ基；であり、前者がさらに好ましい。
【００２６】
式（１）における、同一のベンゼン環に置換したニトロ基、Ｒ１及びＲ２の置換位置は特に制限されない。
好ましくは、該ベンゼン環に置換するアゾ基の置換位置を１位として、下記（ａ）乃至（ｄ）の組み合わせが挙げられ、（ａ）の組み合わせが特に好ましい。
（ａ）ニトロ基が４位、Ｒ１が２位、Ｒ２が６位。
（ｂ）ニトロ基が４位、Ｒ１が２位、Ｒ２が５位。
（ｃ）ニトロ基が２位、Ｒ１が４位、Ｒ２が６位。
（ｄ）ニトロ基が３位、Ｒ１が２位、Ｒ２が５位。
【００２７】
上記式（１）中、Ｒ３及びＲ４におけるハロゲン原子としては、上記「Ｒ１及びＲ２におけるハロゲン原子」に記載のものと、好ましいもの等を含めて同じものが挙げられる。
【００２８】
上記式（１）中、Ｒ３及びＲ４におけるＣ１−Ｃ４アルキル基としては、上記「Ｒ１及びＲ２におけるＣ１−Ｃ４アルキル基」に記載のものと、好ましいもの等を含めて同じものが挙げられる。
【００２９】
上記式（１）中、Ｒ３及びＲ４におけるＣ１−Ｃ４アルコキシ基としては、上記「Ｒ１及びＲ２におけるＣ１−Ｃ４アルコキシ基」に記載のものと、好ましいもの等を含めて同じものが挙げられる。
【００３０】
上記式（１）中、Ｒ３及びＲ４における、ヒドロキシ基、Ｃ１−Ｃ４アルコキシ基、スルホ基、及びカルボキシ基よりなる群から選択される少なくとも１種類の基で置換されたＣ１−Ｃ４アルコキシ基としては、上記「Ｒ１及びＲ２における、ヒドロキシ基、Ｃ１−Ｃ４アルコキシ基、スルホ基、及びカルボキシ基よりなる群から選択される少なくとも１種類の基で置換されたＣ１−Ｃ４アルコキシ基」に記載のものと、好ましいもの等を含めて同じものが挙げられる。
【００３１】
上記式（１）におけるＲ３及びＲ４としては、水素原子、ハロゲン原子、カルボキシ基、スルホ基、ニトロ基、Ｃ１−Ｃ４アルキル基、Ｃ１−Ｃ４アルコキシ基が好ましい。より好ましくは、いずれか一方が水素原子、ハロゲン原子、カルボキシ基、スルホ基、ニトロ基、Ｃ１−Ｃ４アルキル基、又はＣ１−Ｃ４アルコキシ基であり、他方がカルボキシ基又はスルホ基であるものが挙げられる。さらに好ましくは、いずれか一方が水素原子、ハロゲン原子、カルボキシ基、スルホ基、ニトロ基、Ｃ１−Ｃ４アルキル基、又はＣ１−Ｃ４アルコキシ基であり、他方がスルホ基であるものが挙げられる。
特に好ましくは、いずれか一方が塩素原子であり、他方がスルホ基であるものが挙げられる。
【００３２】
式（１）における、同一のベンゼン環に置換したＲ３、Ｒ４、及び基Ａの置換位置は特に制限されない。
好ましくは、該ベンゼン環に置換するアゾ基の置換位置を１位として、下記（ｅ）乃至（ｈ）の組み合わせが挙げられ、（ｅ）の組み合わせが特に好ましい。
（ｅ）Ｒ３及びＲ４の一方が３位、他方が５位、基Ａが４位。
（ｆ）Ｒ３及びＲ４の一方が２位、他方が５位、基Ａが４位。
（ｇ）Ｒ３及びＲ４の一方が２位、他方が４位、基Ａが５位。
（ｈ）Ｒ３及びＲ４の一方が３位、他方が４位、基Ａが５位。
【００３３】
上記式（１）中、基Ａは上記式（２）で表される基である。
【００３４】
上記式（２）中、Ｒ５におけるＣ１−Ｃ４アルキル基としては、上記「Ｒ１及びＲ２におけるＣ１−Ｃ４アルキル基」に記載のものと、好ましいもの等を含めて同じものが挙げられる。
【００３５】
上記式（２）中、Ｒ５におけるＣ１−Ｃ４アルコキシカルボニル基としては、直鎖又は分岐鎖のものが挙げられ、直鎖のものが好ましい。具体例としては、メトキシカルボニル、エトキシカルボニル、ｎ−プロポキシカルボニル、ｎ−ブトキシカルボニル等の直鎖のもの；イソプロポキシカルボニル、イソブトキシカルボニル、ｓｅｃ−ブトキシカルボニル、ｔ−ブトキシカルボニル等の分岐鎖のもの；等が挙げられる。
【００３６】
式（２）におけるＲ５としては、シアノ基、カルボキシ基、Ｃ１−Ｃ４アルキル基、又はフェニル基が好ましく、シアノ基又はカルボキシ基がより好ましく、カルボキシ基がさらに好ましい。
【００３７】
上記式（２）中、Ｒ６、Ｒ７、及びＲ８におけるハロゲン原子としては、上記「Ｒ１及びＲ２におけるハロゲン原子」に記載のものと、好ましいもの等を含めて同じものが挙げられる。
【００３８】
上記式（２）中、Ｒ６、Ｒ７、及びＲ８におけるＣ１−Ｃ４アルキル基としては、上記「Ｒ１及びＲ２におけるＣ１−Ｃ４アルキル基」に記載のものと、好ましいもの等を含めて同じものが挙げられる。
【００３９】
上記式（２）中、Ｒ６、Ｒ７、及びＲ８におけるＣ１−Ｃ４アルコキシ基としては、上記「Ｒ１及びＲ２におけるＣ１−Ｃ４アルコキシ基」に記載のものと、好ましいもの等を含めて同じものが挙げられる。
【００４０】
上記式（２）中、Ｒ６、Ｒ７、及びＲ８における、ヒドロキシ基、Ｃ１−Ｃ４アルコキシ基、及びスルホ基よりなる群から選択される少なくとも１種類の基で置換されたＣ１−Ｃ４アルコキシ基としては、上記Ｒ６、Ｒ７、及びＲ８におけるＣ１−Ｃ４アルコキシ基の任意の炭素原子に、これらの基が置換したものが挙げられる。置換基の位置は特に制限されないが、同一の炭素原子に２つ以上の酸素原子が置換しないものが好ましい。
具体例としては、２−ヒドロキシエトキシ、２−ヒドロキシプロポキシ、３−ヒドロキシプロポキシ等の、ヒドロキシＣ１−Ｃ４アルコキシ基；メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ等の、Ｃ１−Ｃ４アルコキシＣ１−Ｃ４アルコキシ基；３−スルホプロポキシ、４−スルホブトキシ等の、スルホＣ１−Ｃ４アルコキシ基；等が挙げられる。
【００４１】
上記式（２）中、Ｒ６、Ｒ７、及びＲ８におけるアシルアミノ基としては、上記「Ｒ１及びＲ２におけるアシルアミノ基」に記載のものと、好ましいもの等を含めて同じものが挙げられる。
【００４２】
上記式（２）におけるＲ６、Ｒ７、及びＲ８としては、水素原子、ハロゲン原子、カルボキシ基、スルホ基、Ｃ１−Ｃ４アルキル基、又はＣ１−Ｃ４アルコキシ基が好ましい。より好ましくは、いずれか１つが水素原子であり、残りがハロゲン原子、カルボキシ基、及びスルホ基から選択されるいずれか２つのもの；又は、いずれか２つが水素原子であり、残りの１つがスルホ基であるもの；が挙げられ、いずれか２つが水素原子であり、残りの１つがスルホ基であるものが特に好ましい。
【００４３】
式（２）における、同一のベンゼン環に置換したＲ６、Ｒ７、及びＲ８の置換位置は特に制限されない。
好ましくは、該ベンゼン環に置換する（ピラゾロン環の）窒素原子の置換位置を１位として、下記（ｉ）乃至（ｋ）の組み合わせが挙げられる。
（ｉ）３つがいずれも水素原子以外のとき、２位、４位、及び５位；又は、２位、４位、及び６位。
（ｊ）２つが水素原子以外の基、１つが水素原子のとき、水素原子以外の基が２位及び４位；２位及び５位；又は、３位及び５位。
（ｋ）１つが水素原子以外の基、２つが水素原子のとき、水素原子以外の基が４位。
【００４４】
上記式（１）、式（２）の置換基、その置換位置等について記載した好ましいもの同士を組み合わせた化合物はより好ましく、より好ましいもの同士を組み合わせた化合物はさらに好ましい。さらに好ましいもの同士、好ましいものとより好ましいものとの組み合わせ等についても同様である。
【００４５】
好ましい具体例としては、式（１）において、ニトロ基の置換位置が、該ニトロ基が置換するベンゼン環上のアゾ基の置換位置を１位として４位であり、基Ａの置換位置が、該基Ａが置換するベンゼン環上のアゾ基の置換位置を１位として４位であり、ｎが１であり、Ｒ１、Ｒ３、及びＲ７がスルホ基であり、Ｒ２が水素原子であり、Ｒ４が水素原子、塩素原子、又はスルホ基であり、Ｒ５がカルボキシ基であるものが挙げられる。
【００４６】
上記式（１）で表される化合物の好ましい具体例を、下記表１乃至表４に挙げるが、式（１）で表される化合物はこれらの具体例に限定されるものではない。
【００４７】
【表１】
2012002277.tif 000007
【００４８】
【表２】
2012002277.tif 000008
【００４９】
【表３】
2012002277.tif 000009
【００５０】
【表４】
2012002277.tif 000010
【００５１】
本発明のインク組成物に含有される色素（ＩＩ）について記載する。
【００５２】
本発明のインク組成物に含有される色素（ＩＩ）は、上記式（３）で表される化合物である。色素（ＩＩ）は少なくとも１種類の式（３）で表される化合物からなり、式（３）で表される単一の化合物からなる色素であってもよく、複数の化合物からなる色素の混合物であってもよい。なお、式（３）で表される化合物は、水溶性の染料である。
【００５３】
ここで、上記式（３）で表される化合物について記載する。
【００５４】
上記式（３）で表される化合物は互変異性体を有し、式（３）以外に下記式（５）乃至（７）等で表される異性体等が考えられる。これらの互変異性体も本発明に含まれる。
なお、下記式（５）乃至（７）中、Ｒ１０１からＲ１０３は、いずれも上記式（３）におけるのと同じ意味を表す。
【００５５】
【化５】
2012002277.tif 000011
【００５６】
【化６】
2012002277.tif 000012
【００５７】
【化７】
2012002277.tif 000013
【００５８】
上記式（３）中、ｍは０又は１であり、Ｒ１０１からＲ１０３はそれぞれ独立に、水素原子；スルホ基；又は、Ｃ１−Ｃ４アルコキシ基；を表す。
【００５９】
上記式（３）におけるＲ１０１からＲ１０３の好ましい組み合わせとしては、Ｒ１０１がスルホ基、Ｒ１０２がＣ１−Ｃ４アルコキシ基、Ｒ１０３が水素原子である組み合わせ；又は、Ｒ１０１が水素原子、Ｒ１０２がＣ１−Ｃ４アルコキシ基、Ｒ１０３がスルホ基である組み合わせである。
【００６０】
上記式（３）中、ｍは１が好ましい。
【００６１】
上記式（３）中、基Ｄは１つ乃至３つのスルホ基で置換された、フェニル基又はナフチル基である
【００６２】
上記式（３）中、基Ｄがフェニル基のとき、スルホ基の数は１つ乃至３つ、好ましくは１つ又は２つである。複数の基が置換するとき、その置換基の位置については特に制限されないが、ピラゾロン環の窒素原子との結合位置を１位として、置換基の数が３つのとき２位、３位、及び５位；置換基の数が２つのとき２位及び４位、又は３位及び５位；置換基の数が１つのとき４位；に、それぞれ置換するのが好ましい。具体例としては、２−スルホフェニル、４−スルホフェニル、２，４−ジスルホフェニル、３，５−ジスルホフェニル等が挙げられる。特に好ましいものは、４−スルホフェニル、３，５−ジスルホフェニルである。
【００６３】
上記式（３）中、基Ｄがナフチル基のとき、スルホ基の数は１つ乃至３つである。ピラゾロン環の窒素原子と基Ｄとの結合位置は１位又は２位のもの、すなわち、１−ナフチル又は２−ナフチルが好ましい。
ナフチル基上のスルホ基の位置については特に制限されないが、以下のものが好ましい。
すなわち、
［基Ｄが１−ナフチル基のとき］
（ｌ）スルホ基の数が１つのとき、３、４、５、６、７位。
（ｍ）スルホ基の数が２つのとき、３位と４位、３位と５位、３位と６位、３位と７位、４位と６位、４位と７位、５位と７位の組み合わせ。
（ｎ）スルホ基の数が３つのとき、３位と４位と６位、３位と４位と７位、３位と５位と６位、３位と５位と７位、３位と６位と７位の組み合わせ。
［基Ｄが２−ナフチル基のとき］
（ｏ）スルホ基の数が１つのとき、４、５、６、７、８位。
（ｐ）スルホ基の数が２つのとき、４位と６位、４位と７位、４位と８位、５位と６位、５位と７位、５位と８位、６位と８位の組み合わせ。
（ｑ）スルホ基の数が３つのとき、４位と６位と７位、４位と６位と８位、４位と７位と８位の組み合わせ。
具体例としては、７−スルホナフト−１−イル、５，７−ジスルホナフト−２−イル、６，８−ジスルホナフト−２−イル、４，８−ジスルホナフト−２−イル、４，６，８−トリスルホナフト−２−イル、４，７，８−トリスルホナフト−２−イル等が挙げられる。
このうち特に好ましいものは、４，６，８−トリスルホナフト−２−イルである。
【００６４】
上記式（３）の置換基について記載した好ましいもの同士を組み合わせた化合物はより好ましく、より好ましいもの同士を組み合わせた化合物はさらに好ましい。さらに好ましいもの同士、好ましいものとより好ましいものとの組み合わせ等についても同様である。
【００６５】
好ましい具体例としては、式（３）において、ｍが１であり、Ｒ１０１が水素原子又はスルホ基であり、Ｒ１０２がＣ１−Ｃ４アルコキシ基であり、Ｒ１０３が水素原子又はスルホ基であり、基Ｄが、１つ又は２つのスルホ基で置換されたフェニル基、及び、３つのスルホ基で置換されたナフチル基のいずれかであるものが挙げられる。
【００６６】
上記式（３）で表される化合物の好適な具体例としては、特に限定されるものではないが、下記表５乃至表７に示す化合物等が挙げられる。
各表においてスルホ基、カルボキシ基等の官能基は、便宜上、遊離酸の形で記載する。
【００６７】
【表５】
2012002277.tif 000014
【００６８】
【表６】
2012002277.tif 000015
【００６９】
【表７】
2012002277.tif 000016
【００７０】
本発明のインク組成物に含有される色素（ＩＩＩ）について記載する。
【００７１】
本発明のインク組成物に含有される色素（ＩＩＩ）は、上記式（４）で表される化合物である。色素（ＩＩＩ）は少なくとも１種類の式（４）で表される化合物からなり、式（４）で表される単一の化合物からなる色素であってもよく、複数の化合物からなる色素の混合物であってもよい。なお、式（４）で表される化合物は、水溶性の染料である。
【００７２】
ここで、上記式（４）で表される化合物について記載する。
【００７３】
上記式（４）中、Ｒ２０１からＲ２０４はそれぞれ独立に、水素原子；又はスルホ基で置換されたＣ１−Ｃ４アルコキシ基を表す。
【００７４】
スルホ基で置換されたＣ１−Ｃ４アルコキシ基としては、Ｃ１−Ｃ４アルコキシ基における任意の炭素原子に、スルホ基を有するものが挙げられる。該置換基の数は、通常１つ又は２つ、好ましくは１つである。置換基の位置は特に制限されないが、同一の炭素原子に２つ以上の酸素原子が置換しないものが好ましい。
具体例としては、２−スルホエトキシ、３−スルホプロポキシ、４−スルホブトキシ等のスルホＣ１−Ｃ４アルコキシ基；等が挙げられる。３−スルホプロポキシが特に好ましい。
【００７５】
好ましい具体例としては、式（４）において、Ｒ２０１及びＲ２０２の少なくとも一方がスルホプロポキシ基であり、Ｒ２０３及びＲ２０４の少なくとも一方がスルホプロポキシ基であるものが挙げられる。
【００７６】
上記式（４）で表される化合物の好適な具体例としては、特に限定されるものではないが、下記表８乃至表９に示す化合物等が挙げられる。
各表においてスルホ基、カルボキシ基等の官能基は、便宜上、遊離酸の形で記載する。
【００７７】
【表８】
2012002277.tif 000017
【００７８】
【表９】
2012002277.tif 000018
【００７９】
本発明のインク組成物中に含有される色素の総質量において、色素（Ｉ）の比率が１０〜８０質量％、色素（ＩＩ）の比率が１０〜８０質量％、色素（ＩＩＩ）の比率が１０〜４０質量％となるような配合比率で混合することが好ましい。さらに好ましくは、色素（Ｉ）の比率が２０〜７０質量％、色素（ＩＩ）の比率が２０〜７０質量％、色素（ＩＩＩ）の比率が１０〜４０質量％となるような配合比率である。
【００８０】
上記式（１）、式（３）、式（４）で表される化合物又はその互変異性体の塩は、無機又は有機陽イオンとの塩である。そのうち無機塩の具体例としては、アルカリ金属塩、アルカリ土類金属塩、及びアンモニウム塩が挙げられ、好ましい無機塩としては、リチウム、ナトリウム、カリウムの各塩及びアンモニウム塩が挙げられる。一方、有機陽イオンの塩としては、例えば下記式（８）で表される４級アンモニウムとの塩が挙げられるが、これらに限定されるものではない。また、遊離酸、その互変異性体、及びそれらの各種の塩が混合物であってもよい。例えば、ナトリウム塩とアンモニウム塩との混合物、遊離酸とナトリウム塩との混合物、リチウム塩、ナトリウム塩、及びアンモニウム塩の混合物等、いずれの組み合わせを用いてもよい。塩の種類によって各化合物における溶解性等の物性値が異なる場合もあり、必要に応じて適宜塩の種類を選択すること、又は、複数の塩等を含む場合にはその比率を変化させること等により目的に適う物性を有する混合物を得ることもできる。
【００８１】
【化８】
2012002277.tif 000019
【００８２】
式（８）において、Ｚ１、Ｚ２、Ｚ３、Ｚ４は、それぞれ独立に、水素原子、アルキル基、ヒドロキシアルキル基、及びヒドロキシアルコキシアルキル基よりなる群から選択される基を表し、少なくともいずれか１つは水素原子以外の基を表す。
式（８）におけるＺ１、Ｚ２、Ｚ３、Ｚ４のアルキル基の具体例としては、メチル、エチル、ｎ−プロピル、イソプロピル、ｎ−ブチル、イソブチル、ｓｅｃ−ブチル、ｔ−ブチル等が挙げられる。ヒドロキシアルキル基の具体例としては、ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基が挙げられる。ヒドロキシアルコキシアルキル基の例としては、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシＣ１−Ｃ４アルコキシＣ１−Ｃ４アルキル基が挙げられ、これらのうちヒドロキシエトキシＣ１−Ｃ４アルキルが好ましい。特に好ましいものとしては、水素原子；メチル；ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基；ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシエトキシＣ１−Ｃ４アルキル基が挙げられる。
【００８３】
式（８）として好ましい化合物のＺ１、Ｚ２、Ｚ３、及びＺ４の組み合わせの具体例を下記表１０に示す。
【００８４】
【表１０】
2012002277.tif 000020
【００８５】
上記式（１）、式（３）、式（４）で表される各化合物の合成方法について記載する。
【００８６】
上記式（１）で表される化合物は、国際公開第２００５／０９７９１２号に記載の方法、又は、該公報に記載の方法に準じて合成原料を適切に選択することにより、当業者であれば容易に合成することができる。
【００８７】
上記式（３）で表される化合物は、特開２００９−８４３４６号公報に記載の方法、又は、該公報に記載の方法に準じて合成原料を適切に選択することにより、当業者であれば容易に合成することができる。
【００８８】
上記式（４）で表される化合物は、例えば次の方法で合成することができる。
なお、各工程における化合物の構造式は遊離酸の形で表すものとし、また下記式（９）乃至（２５）において適宜使用されるＲ２０１からＲ２０４は、それぞれ式（４）におけるのと同じ意味を表す。
【００８９】
まず、下記式（９）で表される化合物を常法によりジアゾ化し、これと下記式（１０）で表される化合物とを常法によりカップリング反応させ、下記式（１１）で表される化合物を得る。
式（１１）で表される化合物の別合成方法としては、以下の方法が挙げられる。すなわち、下記式（９）で表される化合物を常法によりジアゾ化し、これとアニリンのメチル−ω−スルホン酸誘導体とを常法によりカップリング反応させた後、アルカリ条件下で加水分解して下記式（１２）で表される化合物を得る。得られた式（１２）で表される化合物を発煙硫酸等で処理してスルホ化することにより、式（１１）で表される化合物を得ることができる。また、式（１１）で表される化合物の中には、市販品として購入できるもの（例えばＣ．Ｉ．アシッドイエロー９）もある。
【００９０】
【化９】
2012002277.tif 000021
【００９１】
【化１０】
2012002277.tif 000022
【００９２】
【化１１】
2012002277.tif 000023
【００９３】
【化１２】
2012002277.tif 000024
【００９４】
次いで、得られた式（１１）で表される化合物を常法によりジアゾ化した後、これと下記式（１３）で表される化合物とを常法によりカップリング反応させ、下記式（１４）で表される化合物を得る。
【００９５】
【化１３】
2012002277.tif 000025
【００９６】
【化１４】
2012002277.tif 000026
【００９７】
一方、上記式（１１）で表される化合物を常法によりジアゾ化した後、これと下記式（１５）で表される化合物とを常法によりカップリング反応させ、下記式（１６）で表される化合物を得る。
【００９８】
【化１５】
2012002277.tif 000027
【００９９】
【化１６】
2012002277.tif 000028
【０１００】
同様にして、上記式（１１）で表される化合物を常法によりジアゾ化した後、これと下記式（１７）で表される化合物とを常法によりカップリング反応させ、下記式（１８）で表される化合物を得る。
【０１０１】
【化１７】
2012002277.tif 000029
【０１０２】
【化１８】
2012002277.tif 000030
【０１０３】
同様にして、上記式（１１）で表される化合物を常法によりジアゾ化した後、これと下記式（１９）で表される化合物とを常法によりカップリング反応させ、下記式（２０）で表される化合物を得る。
【０１０４】
【化１９】
2012002277.tif 000031
【０１０５】
【化２０】
2012002277.tif 000032
【０１０６】
次いで、得られた上記式（１４）で表される化合物とハロゲン化シアヌル、例えば塩化シアヌルとを、常法により縮合反応させ、下記式（２１）で表される化合物を得る。
【０１０７】
【化２１】
2012002277.tif 000033
【０１０８】
次いで、得られた上記式（２１）で表される化合物と式（１６）で表される化合物とを、常法により縮合反応させ、下記式（２２）で表される化合物を得る。
【０１０９】
【化２２】
2012002277.tif 000034
【０１１０】
同様にして、得られた上記式（１８）で表される化合物とハロゲン化シアヌル、例えば塩化シアヌルとを、常法により縮合反応させ、下記式（２３）で表される化合物を得る。
【０１１１】
【化２３】
2012002277.tif 000035
【０１１２】
次いで、得られた上記式（２３）で表される化合物と式（２０）で表される化合物とを、常法により縮合反応させ、下記式（２４）で表される化合物を得る。
【０１１３】
【化２４】
2012002277.tif 000036
【０１１４】
得られた上記式（２２）で表される化合物と上記式（２４）で表される化合物と下記式（２５）で表される架橋基Ｘに対応する化合物とを、常法により縮合反応させることにより、上記式（４）で表されるアゾ化合物を得ることができる。
【０１１５】
【化２５】
2012002277.tif 000037
【０１１６】
上記式（９）で表される化合物のジアゾ化は、それ自体公知の方法で実施される。例えば、無機酸媒質中、例えば−５〜３０℃、好ましくは０〜２０℃の温度で亜硝酸塩、例えば亜硝酸ナトリウム等の亜硝酸アルカリ金属塩を使用して実施される。
式（９）で表される化合物のジアゾ化物と式（１０）で表される化合物とのカップリング反応も、それ自体公知の反応条件で実施される。例えば、水又は水性有機媒体中、０〜３０℃、好ましくは５〜２５℃の温度、且つ、酸性から弱酸性のｐＨ値、例えばｐＨ１〜６で反応を行うことが有利である。ジアゾ化反応液は酸性であり、また、カップリング反応の進行により反応系内はさらに酸性化してしまうため、塩基の添加によって反応液を上記のｐＨ値へ調整するのが好ましい。塩基としては、例えば、水酸化リチウム、水酸化ナトリウム等のアルカリ金属水酸化物；炭酸リチウム、炭酸ナトリウム、炭酸カリウム等のアルカリ金属炭酸塩；酢酸ナトリウム等の酢酸塩；アンモニア又は有機アミン；等が使用できる。式（９）で表される化合物と式（１０）で表される化合物とは、ほぼ化学量論量で用いる。
【０１１７】
上記式（１１）で表される化合物のジアゾ化は、それ自体公知の方法で実施される。例えば、無機酸媒質中、例えば−５〜３０℃、好ましくは０〜２５℃の温度で亜硝酸塩、例えば亜硝酸ナトリウム等の亜硝酸アルカリ金属塩を使用して実施される。
式（１１）で表される化合物のジアゾ化物と、式（１３）、式（１５）、式（１７）、又は式（１９）で表される化合物とのカップリング反応も、それ自体公知の反応条件で実施される。例えば、水又は水性有機媒体中、０〜３０℃、好ましくは５〜２５℃の温度、且つ、酸性から弱酸性のｐＨ値、例えばｐＨ１〜６で反応を行うことが有利である。ジアゾ化反応液は酸性であり、また、カップリング反応の進行により反応系内はさらに酸性化してしまうため、塩基の添加によって反応液を上記のｐＨ値へ調整するのが好ましい。塩基としては上記と同じものが使用できる。式（１１）の化合物と、式（１３）、式（１５）、式（１７）、又は式（１９）の化合物とは、ほぼ化学量論量で用いる。
【０１１８】
上記式（１４）又は上記式（１８）で表される化合物と、ハロゲン化シアヌル、例えば塩化シアヌルとの縮合反応は、それ自体公知の方法で実施される。例えば、水又は水性有機媒体中、０〜３０℃、好ましくは５〜２５℃の温度、且つ、弱酸性から中性のｐＨ値、例えばｐＨ３〜８で反応を行うことが有利である。反応の進行により反応系内は酸性化してしまうため、塩基の添加によって上記のｐＨ値へ調整するのが好ましい。塩基としては上記と同じものが使用できる。上記式（１４）又は上記式（１８）で表される化合物とハロゲン化シアヌルとは、ほぼ化学量論量で用いる。
【０１１９】
上記式（１６）で表される化合物と上記式（２１）で表される化合物との縮合反応、又は上記式（２０）で表される化合物と上記式（２３）で表される化合物との縮合反応は、それ自体公知の方法で実施される。例えば、水又は水性有機媒体中、１０〜８０℃、好ましくは２５〜７０℃の温度、且つ、弱酸性から弱アルカリ性のｐＨ値、例えばｐＨ５〜９で反応を行うことが有利である。ｐＨ値の調整は塩基の添加によって実施される。塩基としては上記と同じものが使用できる。上記式（１６）で表される化合物と上記式（２１）で表される化合物、又は上記式（２０）で表される化合物と上記式（２３）で表される化合物とは、ほぼ化学量論量で用いる。
【０１２０】
上記式（２２）で表される化合物と上記式（２４）で表される化合物と上記式（２５）で表される化合物との縮合反応は、それ自体公知の方法で実施される。例えば、水又は水性有機媒体中、５０〜１００℃、好ましくは６０〜９５℃の温度、且つ、中性から弱アルカリ性のｐＨ値、例えばｐＨ７〜１０で行うことが有利である。ｐＨ値の調整は塩基の添加によって実施される。塩基としては上記と同じものが使用できる。上記式（２２）で表される化合物１当量と上記式（２４）で表される化合物１当量とに対し、上記式（２５）で表される化合物は０．４〜０．６当量、好ましくは０．５当量を用いる。
【０１２１】
上記式（１）、式（３）、式（４）で表される化合物を所望の塩とするには、各化合物の合成反応の最終工程が終了した後、所望の無機塩又は有機陽イオンの塩を反応液に添加することにより塩析する方法；又は、塩酸等の鉱酸の添加により遊離酸の形で単離し、これを水、酸性の水又は水性有機媒体等を必要に応じ用いて洗浄することにより無機塩を除去後、水性の媒体中で所望の無機又は有機塩基により中和する方法；等により、対応する塩の固体、又は溶液を得ることができる。ここで、酸性の水とは、例えば硫酸、塩酸等の鉱酸や酢酸等の有機酸を水に溶解し、酸性にしたものをいう。また、水性有機媒体とは、水と混和可能な有機物質、又は水と混和可能ないわゆる有機溶剤等（具体例としては後述する水溶性有機溶剤等）と水との混和物が挙げられる。無機塩の例としては、塩化リチウム、塩化ナトリウム、塩化カリウム等アルカリ金属塩；塩化アンモニウム、臭化アンモニウム等のアンモニウム塩；等が挙げられる。有機の陽イオンの塩の例としては、上記した式（８）で表される４級アンモニウムのハロゲン塩等が挙げられる。無機塩基の例としては、例えば水酸化リチウム、水酸化ナトリウム、水酸化カリウム等のアルカリ金属の水酸化物；水酸化アンモニウム（アンモニア水）；炭酸リチウム、炭酸ナトリウム、炭酸カリウム等のアルカリ金属の炭酸塩；等が挙げられる。有機塩基の例としては、ジエタノールアミン、トリエタノールアミン等の有機アミン；上記式（８）で表される４級アンモニウムの水酸化物やハロゲン化物；等が挙げられるが、これらに限定されるものではない。
【０１２２】
本発明のインク組成物について記載する。
【０１２３】
上記式（１）、式（３）、又は（４）で表される化合物のそれぞれの合成反応において、最終工程終了後のそれぞれの反応液は、本発明のインク組成物の製造に直接使用することができる。また、まず各色素を含む反応液を個別に乾燥、例えばスプレー乾燥させる方法；塩化ナトリウム、塩化カリウム、塩化カルシウム、硫酸ナトリウム等の無機塩類を添加することによって塩析する方法；塩酸、硫酸、硝酸等の鉱酸を添加することによって酸析する方法；塩析と酸析とを組み合わせて酸塩析する方法；等によって各化合物を単離し、これを混合してインク組成物を調製することもできる。
【０１２４】
本発明のインク組成物に含有される色素（Ｉ）として好ましい色素は、上記式（１）で表される各化合物において、好ましいものとして挙げた化合物であり、より好ましい色素等についても同様である。また、色素（ＩＩ）として好ましい色素も、同様に上記式（３）で表される化合物において、好ましいものとして挙げた化合物であり、より好ましい色素等についても同様である。また、色素（ＩＩＩ）として好ましい色素も、同様に上記式（４）で表される化合物において、好ましいものとして挙げた化合物であり、より好ましい色素等についても同様である。
【０１２５】
色素（Ｉ）、（ＩＩ）、及び（ＩＩＩ）の好ましい組み合わせの１つとしては、色素（Ｉ）として表４に記載のＮｏ．２５で表される化合物、色素（ＩＩ）として表５に記載のＮｏ．２８又はＮｏ．２９で表される化合物、表５に記載のＮｏ．３２又は表６に記載のＮｏ．３３で表される化合物、表７に記載のＮｏ．３８又はＮｏ．４０で表される化合物、色素（ＩＩＩ）として表８に記載のＮｏ．４３又はＮｏ．４５で表される化合物の組み合わせが挙げられる。この組み合わせの色素を含有する本発明のインク組成物は、本発明のインク組成物として好ましいものの１つである。
【０１２６】
本発明のインク組成物は、色素として、色素（Ｉ）、色素（ＩＩ）、及び色素（ＩＩＩ）を含有する。色素（Ｉ）、（ＩＩ）、及び（ＩＩＩ）のそれぞれは、上記した特定の条件を満たす範囲でそれぞれ単独の色素でもよいし、それぞれが複数の色素の混合物であってもよい。したがって、本発明のインク組成物は、少なくとも３種類以上の色素が配合されたものである。
本発明のインク組成物中に含有する色素の総質量中、色素（Ｉ）の比率は１０〜８０質量％、好ましくは２０〜７０質量％、より好ましくは２０〜６５質量％、色素（ＩＩ）の比率は１０〜８０質量％、好ましくは２０〜７０質量％、より好ましくは２０〜６５質量％、色素（ＩＩＩ）の比率は１０〜４０質量％である。
また、本発明のインク組成物の総質量における色素（Ｉ）、色素（ＩＩ）、及び色素（ＩＩＩ）の総含有量は、インク組成物の総質量に対して、通常０．１〜２０質量％、好ましくは１〜１０質量％、より好ましくは２〜８質量％である。
本発明のインク組成物には、さらに水溶性有機溶剤を例えば０〜３０質量％、インク調製剤を例えば０〜２０質量％含有してもよく、残部は水である。
【０１２７】
本発明のインク組成物は水を媒体として調製され、必要に応じて水溶性有機溶剤を、本発明の効果を害しない範囲内において含有していてもよい。水溶性有機溶剤は、本発明のインク組成物における染料の溶解、乾燥の防止（湿潤状態の保持）、粘度の調整、浸透の促進、表面張力の調整、消泡等の効果を目的として使用され、本発明のインク組成物中には含有する方が好ましい。
インク調製剤としては、例えば、防黴防腐剤、ｐＨ調整剤、キレート試薬、防錆剤、紫外線吸収剤、水溶性高分子化合物、色素溶解剤、界面活性剤、酸化防止剤（退色防止剤）等の公知の添加剤が挙げられる。
水溶性有機溶剤の含有量は、本発明のインク組成物の総質量に対して０〜６０質量％、好ましくは１０〜５０質量％であり、インク調製剤は同様に０〜２０質量％、好ましくは０〜１５質量％用いるのがよい。上記以外の残部は水である。
【０１２８】
本発明のインク組成物のｐＨとしては、保存安定性を向上させる目的で、ｐＨ５〜１１が好ましく、ｐＨ７〜１０がより好ましい。また、インク組成物の表面張力としては、２５〜７０ｍＮ／ｍが好ましく、２５〜６０ｍＮ／ｍがより好ましい。さらに、インク組成物の粘度としては、３０ｍＰａ・ｓ以下が好ましく、２０ｍＰａ・ｓ以下がより好ましい。本発明のインク組成物のｐＨ、表面張力は、後記するようなｐＨ調整剤、界面活性剤で適宜調整することが可能である。
【０１２９】
本発明のインク組成物をインクジェット記録用のインクとして使用する場合、本発明のインク組成物が含有する各色素［すなわち、上記式（１）、式（３）、式（４）表される各化合物］中における金属陽イオンの塩化物（例えば塩化ナトリウム）、硫酸塩（例えば硫酸ナトリウム）等の無機不純物の含有量は、少ないものを用いるのが好ましい。その無機不純物含有量の目安は、おおよそ色素の総質量に対して１質量％以下程度であり、下限は分析機器の検出限界以下、すなわち０％でよい。無機不純物の少ない化合物を製造するには、例えば逆浸透膜による通常の方法；色素の乾燥品あるいはウェットケーキをメタノール等のＣ１−Ｃ４アルコール及び水の混合溶媒中で撹拌し、析出物を濾過分離して、乾燥する等の方法；イオン交換樹脂を用いた方法；等で脱塩処理すればよい。
【０１３０】
上記水溶性有機溶剤の具体例としては、メタノール、エタノール、プロパノール、イソプロパノール、ブタノール、イソブタノール、第二ブタノール、第三ブタノール等のＣ１−Ｃ４アルカノール；Ｎ，Ｎ−ジメチルホルムアミド、Ｎ，Ｎ−ジメチルアセトアミド等のカルボン酸アミド；２−ピロリドン、Ｎ−メチル−２−ピロリドン、Ｎ−メチルピロリジン−２−オン等のラクタム；１，３−ジメチルイミダゾリジン−２−オン、１，３−ジメチルヘキサヒドロピリミド−２−オン等の環式尿素類；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−プロピレングリコール、１，３−プロピレングリコール、１，２−ブチレングリコール、１，４−ブチレングリコール、１，６−ヘキシレングリコール、ジエチレングリコール、トリエチレングリコール、テトラエチレングリコール、ジプロピレングリコール、ポリエチレングリコール、ポリプロピレングリコール、チオジグリコール、ジチオジグリコール等のＣ２−Ｃ６アルキレン単位を有するモノ、オリゴ、若しくはポリアルキレングリコール又はチオグリコール；トリメチロールプロパン、グリセリン、ヘキサン−１，２，６−トリオール等のポリオール（トリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）トリエチレングリコールモノメチルエーテル、トリエチレングリコールモノエチルエーテル等の多価アルコールのＣ１−Ｃ４アルキルエーテル；γ−ブチロラクトン等のラクトン類；ジメチルスルホキシド等のスルホキシド類；等が挙げられる。これらの水溶性有機溶剤は単独で用いてもよいし、二種以上を併用してもよい。
これらの中でも、イソプロパノール、Ｎ−メチル−２−ピロリドン、グリセリン、ブチルカルビトール等が好ましい。
【０１３１】
なお、上記の水溶性有機溶剤には、例えばトリメチロールプロパン等のように、常温で固体の物質も含まれている。しかし、該物質等は固体であっても水溶性を示し、さらに該物質等を含有する水溶液は水溶性有機溶剤と同様の性質を示し、同じ目的で使用することができる。このため本明細書においては、便宜上、このような固体の物質であっても上記と同じ目的で使用できる限り、水溶性有機溶剤の範疇に含むものとする。
【０１３２】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【０１３３】
防腐剤の具体例としては、有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、無機塩系等の化合物が挙げられる。
有機ハロゲン系化合物の具体例としては、例えばペンタクロロフェノールナトリウムが挙げられる。ピリジンオキシド系化合物の具体例としては、例えば２−ピリジンチオール−１−オキサイドナトリウムが挙げられる。イソチアゾリン系化合物の具体例としては、例えば、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤の具体例としては、無水酢酸ナトリウム、ソルビン酸ナトリウム、安息香酸ナトリウム、あるいはアーチケミカル社製、商品名プロクセルＲＴＭＧＸＬ（Ｓ）やプロクセルＲＴＭＸＬ−２（Ｓ）等が挙げられる。
なお、本明細書において、上付きの「ＲＴＭ」は、登録商標を意味する。
【０１３４】
ｐＨ調整剤としては、調製されるインクに悪影響を及ぼさずに、インクのｐＨを例えば５〜１１の範囲に制御できるものであれば任意の物質を使用することができる。その具体例としては、ジエタノールアミン、トリエタノールアミン、Ｎ−メチルジエタノールアミン等のアルカノールアミン；水酸化リチウム、水酸化ナトリウム、水酸化カリウム等のアルカリ金属の水酸化物；水酸化アンモニウム（アンモニア水）；炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等の無機塩基；タウリン等のアミノスルホン酸類；等が挙げられる。
【０１３５】
キレート試薬の具体例としては、エチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【０１３６】
防錆剤の具体例としては、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【０１３７】
紫外線吸収剤の具体例としては、スルホ化した、ベンゾフェノン系化合物、ベンゾトリアゾ−ル系化合物、サリチル酸系化合物、桂皮酸系化合物、トリアジン系化合物等の水溶性のものが挙げられる。
【０１３８】
水溶性高分子化合物の具体例としては、ポリビニルアルコール、セルロース誘導体、ポリアミン、ポリイミン等が挙げられる。
【０１３９】
色素溶解剤の具体例としては、ε−カプロラクタム、エチレンカーボネート、尿素等が挙げられる。
【０１４０】
酸化防止剤としては、各種の有機系及び金属錯体系の褪色防止剤を使用することができる。この褪色防止剤の具体例としては、ハイドロキノン類、アルコキシフェノール類、ジアルコキシフェノール類、フェノール類、アニリン類、アミン類、インダン類、クロマン類、アルコキシアニリン類、複素環類等が挙げられる。
【０１４１】
界面活性剤の具体例としては、アニオン系、カチオン系、ノニオン系等の公知の界面活性剤が挙げられる。
【０１４２】
アニオン界面活性剤の例としては、アルキルスルホン酸塩、アルキルカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、ジオクチルスルホ琥珀酸塩等が挙げられる。
【０１４３】
カチオン界面活性剤の例としては、２−ビニルピリジン誘導体、ポリ４−ビニルピリジン誘導体等が挙げられる。
【０１４４】
両性界面活性剤の例としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【０１４５】
ノニオン界面活性剤の例としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレンアルコール系；等が挙げられる。その他の具体例としては、例えば、日信化学社製、商品名サーフィノールＲＴＭ１０４、１０５、８２、４６５、オルフィンＲＴＭＳＴＧ等が挙げられる。
これらのインク調製剤は、単独又は混合して用いられる。
【０１４６】
本発明のインク組成物の製造において、添加剤等の各薬剤を溶解させる順序には特に制限はない。インク組成物の調製に用いる水は、イオン交換水、蒸留水等の不純物が少ない物が好ましい。また、必要に応じインク組成物の調製後に、メンブランフィルタ等を用いて精密濾過を行い、インク組成物中の夾雑物を除いてもよい。特に、本発明のインク組成物をインクジェット記録用のインクとして使用する場合には、精密濾過を行うことが好ましい。精密濾過に使用するフィルタの孔径は通常１〜０．１μｍ、好ましくは、０．８〜０．１μｍである。
【０１４７】
本発明のインク組成物は、印捺、複写、マーキング、筆記、製図、スタンピング、又は記録（印刷）、特にインクジェット記録における使用に適する。また、本発明のインク組成物は、インクジェットプリンタの記録ヘッドのノズル付近における乾燥に対しても固体の析出は起こりにくく、この理由により該記録ヘッドの閉塞もまた起こしにくい。
【０１４８】
本発明のインクジェット記録方法について説明する。本発明のインクジェット記録方法は、本発明のインク組成物をインクとして用い、該インクのインク滴を記録信号に応じて吐出させて、被記録材に付着させることにより記録を行うものである。記録の際に使用するインクノズル等については特に制限はなく、目的に応じて適宜選択することができる。
該記録方法は、公知の各方式、例えば、静電誘引力を利用してインクを吐出させる電荷制御方式；ピエゾ素子の振動圧力を利用するドロップオンデマンド方式（圧力パルス方式）；電気信号を音響ビームに変えインクに照射し、その放射圧を利用してインクを吐出させる音響インクジェット方式；インクを加熱して気泡を形成し、生じた圧力を利用するサーマルインクジェット、すなわちバブルジェット（登録商標）方式；等を採用することができる。
なお、インクジェット記録方法には、フォトインクと称する、インク中の色素濃度（色素含有量）の低いインクを、小さい体積で多数射出する方式；実質的に同じ色相でインク中の色素濃度の異なる複数のインクを用いて画質を改良する方式；及び無色透明のインクを用いる方式；等も含まれる。
【０１４９】
本発明の着色体は、
ａ）上記１）乃至５）に記載の本発明のインク組成物、又は、
ｂ）上記６）乃至８）に記載の本発明のインクジェット記録方法、により着色された物質であり、好ましくは本発明のインク組成物を用いて、本発明のインクジェット記録方法により着色された物質である。
【０１５０】
該物質としては下記する被記録材が好ましい。
着色されうる被記録材としては特に制限はないが、例えば、紙、フィルム等の情報伝達用シート、繊維や布（セルロース、ナイロン、羊毛等）、皮革、カラーフィルタ用基材等が挙げられ、中でも情報伝達用シートが好ましい。
情報伝達用シートとしては、表面処理されたもの、具体的には紙、合成紙、フィルム等の基材にインク受容層を設けたものが好ましい。インク受容層は、例えば上記基材にカチオン系ポリマーを含浸又は塗工する方法；多孔質シリカ、アルミナゾル、特殊セラミックス等のインク中の色素を吸収し得る無機微粒子をポリビニルアルコールやポリビニルピロリドン等の親水性ポリマーと共に上記基材表面に塗工する方法；等により設けられる。このようなインク受容層を設けたものは、通常インクジェット専用紙、インクジェット専用フィルム、光沢紙、光沢フィルム等と呼ばれる。
【０１５１】
上記の情報伝達用シートのうち、特に多孔性白色無機物を表面に塗工したシートは表面光沢度が高く、また耐水性も優れているため、写真画質の記録に特に適している。しかし、これらに記録した画像は、オゾンガスによって変退色が大きくなることが知られている。しかし、本発明のインク組成物は耐オゾンガス性が優れているため、このような被記録材へインクジェット記録した際にも大きな効果を発揮する。
上記のような多孔性白色無機物を表面に塗工したシートとして代表的な市販品の一例を挙げると、キヤノン（株）製、商品名：写真用紙・光沢プロ「プラチナグレード」、写真用紙・光沢ゴールド；セイコーエプソン（株）製、商品名：写真用紙クリスピア（高光沢）、写真用紙（光沢）、フォトマット紙；日本ヒューレット・パッカード（株）製、商品名：アドバンスフォト用紙（光沢）；富士フィルム（株）製、商品名：画彩写真仕上げＰｒｏ；等があるが、本発明のインク組成物の用途としては、これらの専用紙等に限られるものではない。
【０１５２】
上記の専用紙以外の被記録材としては普通紙が挙げられる。普通紙とは、上記のインク受容層が設けられていないものであり、市販品の例としては、キヤノン（株）製、商品名：ＧＦ−５００、キヤノン普通紙・ホワイト；セイコーエプソン（株）製、商品名：両面上質普通紙；等のインクジェット専用の普通紙が挙げられる。また、インクジェット専用ではないものの例としては、ＰＰＣ（プレインペーパーコピー）用紙等も使用できる。
【０１５３】
本発明のインクジェット記録方法で情報伝達用シート等の被記録材に記録するには、例えば上記のインク組成物を含有する容器をインクジェットプリンタの所定の位置に装填し、前記の通常の記録方法で被記録材に記録すればよい。
本発明のインクジェット記録方法は、本発明のインク組成物と、例えば公知のマゼンタ、シアン、イエロー、及び必要に応じて、グリーン、ブルー（又はバイオレット）、レッド（又はオレンジ）等の各色のインク組成物とを併用することもできる。
各色のインク組成物は、それぞれの容器に注入され、その各容器を本発明のインク組成物を含有する容器と同様にインクジェットプリンタの所定の位置に装填してインクジェット記録に使用される。
【０１５４】
本発明のインク組成物に色素（Ｉ）、（ＩＩ）、（ＩＩＩ）として含有される各化合物は、合成が容易且つ安価である。また、該各化合物は、水性媒体に対する溶解性が高く、且つ水溶解性にも優れるので、インク組成物を製造する過程でのメンブランフィルタによる濾過性が良好である。
本発明のインク組成物又は該インク組成物から調製されるインクは、保存時の安定性や吐出安定性にも優れている。すなわち、本発明のインク組成物は、長期間保存後の固体析出、物性変化、色相の変化等もなく、貯蔵安定性が良好である。
また、本発明のインク組成物は、インクジェット記録用、筆記用具用等として好適に用いられ、特にインクジェット専用紙に記録した際には、濃色及び淡色印刷時のいずれにおいても色味のないニュートラルな黒〜グレー色を呈し、異なるメディアに記録した場合であっても、色相の変化が少ない。また、記録画像の印字（印刷）濃度が非常に高く、高濃度溶液を印字した場合でもその画像にブロンジングを起こさず、さらに、耐湿性、耐水性等の各種堅牢性、特に耐光性及び耐オゾンガス性が共に優れている。
また、マゼンタ、シアン、及びイエロー色素を含有する他のインク組成物と併用することで、各種堅牢性に優れ、保存性の優れたフルカラーのインクジェット記録が可能であり、普通紙にも当然使用できる。
このように本発明のインク組成物は、インクジェット記録用の黒色インクとして極めて有用である。
【実施例】
【０１５５】
以下、本発明を実施例によってさらに具体的に説明するが、本発明は、以下の実施例によって限定されるものではない。
実施例中、特に断りのない限り、「部」及び「％」とあるのは、質量基準である。また、合成反応や晶析等の各操作については撹拌下に行った。１回の合成反応において目的とする化合物の必要量が得られなかった場合には、必要量が得られるまで該反応を繰り返し行った。
また、下記の各式において、スルホ、カルボキシ等の官能基は、便宜上、遊離酸の形で記載する。
また、実施例中に記載したｐＨ値及び反応温度は、いずれも反応系内における測定値を示す。
また、合成した化合物の最大吸収波長（λｍａｘ）は、ｐＨ５〜８の水溶液中で測定し、測定した化合物については実施例中に測定値を記載した。【０１５６】
また、下記式（２６）の化合物は、国際公開第２００５／０９７９１２号の実施例８に記載の方法により合成した。【０１５７】
【化２６】
2012002277.tif 000038
【０１５８】
［合成例１］
（工程１）
２−アミノ−６−メトキシベンゾチアゾール５．０部を１５％発煙硫酸１６部中に１５〜２５℃でゆっくり添加した。添加後、同温度で２時間撹拌した後、６０部の氷水中に約１０分間かけて滴下した。析出した結晶を濾取し、乾燥して、下記式（２７）で表される化合物６．４部を得た。【０１５９】
【化２７】
2012002277.tif 000039
【０１６０】
（工程２）
５０％硫酸２０部に上記工程（１）で得られた式（２７）で表される化合物３．２部を５０％硫酸２０部に懸濁し、撹拌下、５〜１０℃で４０％ニトロシル硫酸４．７部を約１０分間かけて滴下することによりジアゾ懸濁液を得た。
一方、水３０部に上記式（２８）で表される化合物２．９部、スルファミン酸０．４部、次いで水酸化ナトリウムを加えてｐＨ５．０〜５．５とすることにより水溶液を得た。
得られた水溶液に上記のジアゾ懸濁液を反応温度２０〜３０℃で、約１０分間かけて滴下した。
滴下終了後、同温度で２時間撹拌し、水酸化ナトリウムを加えてｐＨ０．７〜１．２にした後に析出固体を濾取することにより、下記式（２９）で表される化合物を含むウェットケーキ１１．８部を得た。
なお、下記式（２８）の化合物は、特開２００４−０８３４９２号公報に記載の方法で得た。【０１６１】
【化２８】
2012002277.tif 000040
【０１６２】
【化２９】
2012002277.tif 000041
【０１６３】
（工程３）
水３０部に下記式（３０）で表される化合物２．７部、次いで水酸化ナトリウムを加えてｐＨ７．５〜８．０とすることにより水溶液を得た。
一方、撹拌下、上記（工程２）で得られた式（２９）で表される化合物を含むウェットケーキを水１１０部に懸濁し、水酸化ナトリウムを加えてｐＨ６．０〜６．５とすることにより水溶液を得た。
得られた水溶液に３５％塩酸２．６部、次いで反応温度１５〜２０℃で４０％亜硝酸ナトリウム水溶液２．０部を約５分間かけて滴下することにより、ジアゾ懸濁液を得た。
得られたジアゾ懸濁液を、先に得られた式（３０）で表される化合物を含む水溶液に、反応温度２０〜３０℃で、２０分間かけて滴下した。この間、反応系内に炭酸ナトリウムを加えてｐＨ値を７．０〜８．０に保持した。
滴下終了後、同温度で２時間撹拌し、塩化ナトリウムの添加により塩析し、析出した固体を濾取することにより、下記式（３１）で表される化合物を含むウェットケーキ１６．９部を得た。【０１６４】
【化３０】
2012002277.tif 000042
【０１６５】
【化３１】
2012002277.tif 000043
【０１６６】
（工程４）
水３０部に３，５−ジスルホアニリン１２．７部、３５％塩酸１８．３部、次いで反応温度０〜５℃で４０％亜硝酸ナトリウム水溶液９．１部を約５分間かけて滴下することにより、ジアゾ液を得た。
一方、撹拌下、アセチルこはく酸ジメチルに水９部、次いでエタノール２部を加え懸濁させた後、先に得られたジアゾ液を反応温度１０〜２０℃で、１５分間かけて滴下した。
滴下後、反応系内に酢酸ナトリウムを加えてｐＨ値を７．０〜８．０に保持した。滴下終了後、同温度で２時間撹拌し、反応系内に水酸化ナトリウムを加えてｐＨ１３．０〜１３．５、１５〜２０℃で２時間撹拌後、３５％塩酸を加えｐＨ０〜０．５、５〜１０℃で２時間撹拌し、析出した結晶を濾取し、下記式（３２）で表される化合物１０．９部を得た。【０１６７】
【化３２】
2012002277.tif 000044
【０１６８】
（工程５）
水３０部に上記（工程４）で得られた式（３２）で表される化合物２．５部、次いで水酸化ナトリウムを加えてｐＨ７．５〜８．０とすることにより水溶液を得た。
一方、撹拌下、上記（工程３）で得られた式（３１）で表される化合物を含むウェットケーキ全量を水１５０部に溶解し、３５％塩酸３．５部、次いで反応温度２０〜２５℃で４０％亜硝酸ナトリウム水溶液１．５部を約５分間かけて滴下することにより、ジアゾ液を得た。
得られたジアゾ液を、先に得られた式（３２）で表される化合物を含む水溶液に、反応温度２０〜３０℃で、３０分間かけて滴下した。この間、反応系内に炭酸ナトリウムを加えてｐＨ値を７．０〜８．０に保持した。
滴下終了後、同温度で２時間撹拌し、塩化ナトリウムを添加して塩析し、析出した固体を濾取することにより、ウェットケーキ４０．８部を得た。得られたウェットケーキを水１８０部に溶解し、メタノール２５０部を添加して晶析し、析出した固体を濾取することによりウェットケーキを得た。さらに、得られたウェットケーキを水１８０部に溶解し、塩化リチウム２２部を添加し、メタノール２００部を添加して晶析し、析出した固体を濾取することによりウェットケーキを得た。得られたウェットケーキを再度、水８０部に溶解し、メタノール２００部を添加して晶析し、析出した固体を濾取し、乾燥することにより、下記式（３３）で表される化合物（λｍａｘ：６０６．５ｎｍ）７．０部をリチウム塩として得た。なお、この化合物は、表７に記載のＮｏ．３８で表される化合物と、表７に記載のＮｏ．４０で表される化合物との混合物である。【０１６９】
【化３３】
2012002277.tif 000045
【０１７０】
［合成例２］
上記式（３２）の合成において、原料として、３，５−ジスルホアニリン１２．７部に代えて、２−アミノナフタレン−４，６，８−トリスルホン酸１９．２部を用いることによって、下記式（３４）で表される化合物を得、これを原料として、合成例１の（工程５）を行うことにより、下記式（３５）で表される化合物（λｍａｘ：６０７．０ｎｍ）を得た。なお、この化合物は、表５に記載のＮｏ．３２で表される化合物と、表６に記載のＮｏ．３３で表される化合物との混合物である。【０１７１】
【化３４】
2012002277.tif 000046
【０１７２】
【化３５】
2012002277.tif 000047
【０１７３】
［合成例３］
下式（３６）で表される化合物（λｍａｘ：６０４．０ｎｍ）を、特開２００９−８４３４６号公報の実施例２に記載の方法により合成した。この化合物は、表５に記載のＮｏ．２８で表される化合物と、表５に記載のＮｏ．２９で表される化合物との混合物である。【０１７４】
【化３６】
2012002277.tif 000048
【０１７５】
［合成例４］
（工程１）
水２００部に下記式（３７）で表されるモノアゾ化合物（Ｃ．Ｉ．アシッドイエロー９）３５．７部を加え、水酸化ナトリウムでｐＨ６に調整しながら溶解し、次いで亜硝酸ナトリウム７．２部を加えた。この溶液を、０〜１０℃に保った５％塩酸３００部中に３０分間かけて滴下した後、２０℃以下で１時間撹拌してジアゾ化反応を行い、ジアゾ反応液を調製した。【０１７６】
【化３７】
2012002277.tif 000049
【０１７７】
一方、２６０部の水中に、３−メチルアニリン１０．７部、重亜硫酸水素ナトリウム１０．４部、及び３５％ホルマリン水溶液８．６部を加え、常法によりメチル−ω−スルホン酸誘導体とした。
得られたメチル−ω−スルホン酸誘導体水溶液を、先に調製したジアゾ反応液中に加え、０〜１５℃、炭酸水素ナトリウムの添加によりｐＨ４〜５に調整しながら５時間反応させた。反応液に３５％塩酸１００部を添加した後、７０〜８０℃でさらに５時間反応させた。反応液に塩化ナトリウムを加えて塩析し、析出固体を濾過分取することにより、下記式（３８）で表される化合物１２０部をウェットケーキとして得た。【０１７８】
【化３８】
2012002277.tif 000050
【０１７９】
（工程２）
水２００部に上記式（３７）で表されるモノアゾ化合物（Ｃ．Ｉ．アシッドイエロー９）３５．７部を加え、水酸化ナトリウムでｐＨ６に調整しながら溶解し、次いで亜硝酸ナトリウム７．２部を加えた。この溶液を、３５％塩酸３１．３部を水２００部で希釈した水溶液中に、０〜１０℃を保ちながら３０分間かけて滴下した後、２０℃以下で１時間撹拌してジアゾ化反応を行った。得られた反応液にスルファミン酸０．４部を添加し５分間撹拌してジアゾ反応液を調製した。
一方、４０〜５０℃の温水３００部に、特開２００４−０８３４９２号公報に記載の方法で得た下記式（３９）で表される化合物２４．０部及び２５％水酸化ナトリウム水溶液を加えてｐＨ５〜６に調整し、水溶液を得た。この水溶液に上記で得られたジアゾ反応液を１５〜２５℃で、３０分間かけて滴下した。滴下中は炭酸ナトリウム水溶液の添加によりｐＨ５〜６に保持した。滴下後、同温度、同ｐＨで２時間撹拌した後、３５％塩酸の添加によりｐＨ０〜１に調整した。得られた液を６５℃に加熱し、同温度で２時間撹拌した後、室温まで冷却し、析出した固体を濾過分取することにより、下記式（４０）で表される化合物を含むウェットケーキ１３０部を得た。【０１８０】
【化３９】
2012002277.tif 000051
【０１８１】
【化４０】
2012002277.tif 000052
【０１８２】
（工程３）
水３００部に上記（工程１）で得られた式（３８）で表される化合物を含むウェットケーキ５０部を２５％水酸化ナトリウム水溶液の添加によりｐＨ８〜９として溶解した。この溶液にライオン（株）社製、商品名：レオコールＲＴＭＴＤ９０（界面活性剤、以下「レオコールＲＴＭＴＤ９０」と省略）０．４８部を加えた後、５〜１０℃で塩化シアヌル７．３部を添加した。添加後、炭酸ナトリウム水溶液の添加によりｐＨ値を６〜７に保持しながら５〜１０℃で６時間撹拌した。
一方、水１５０部に上記（工程２）で得られた式（４０）で表される化合物を含むウェットケーキ５１部を２５％水酸化ナトリウム水溶液の添加によりｐＨ７〜８として溶解し、溶液を得た。この溶液を上記反応液に添加した後、６５〜７０℃に加熱し、炭酸ナトリウム水溶液の添加によりｐＨ値を６〜７に保持しながら７時間撹拌した。次にピペラジン１．７部を添加した後、９０〜９５℃に加熱し、炭酸ナトリウム水溶液の添加によりｐＨ値を７〜８に保持しながら１８時間撹拌した。
得られた反応液を２０〜３０℃まで冷却後、塩化ナトリウムの添加により塩析し、析出した固体を濾過分取してウェットケーキを得た。
このウェットケーキを水６００部に溶解した。この溶液にメタノール５０部、次いで２−プロパノール８００部を加え、３０分間撹拌した。析出した固体を濾過分取することによりウェットケーキを得た。得られたウェットケーキを再度水４００部に溶解し、２−プロパノール１０００部を添加し、析出した固体を濾過分取し、乾燥することにより、下記式（４１）で表されるアゾ化合物（λｍａｘ：４３５ｎｍ）２５．３部をナトリウム塩として得た。【０１８３】
【化４１】
2012002277.tif 000053
【０１８４】
［合成例５］
水２５０部に上記合成例４の（工程２）で得られた式（４０）で表される化合物を含むウェットケーキ６５部を２５％水酸化ナトリウム水溶液の添加によりｐＨ７〜８として溶解した。この溶液にレオコールＲＴＭＴＤ９０（０．１０部）を加えた後、１５〜２５℃で塩化シアヌル３．８部を添加した。添加後、炭酸ナトリウム水溶液の添加によりｐＨ値を５〜６に保持しながら１５〜２５℃で２時間撹拌した。次にこの反応液を６０〜６５℃に加熱し、炭酸ナトリウム水溶液の添加によりｐＨ値を６〜７に保持しながら５時間撹拌した。
次にピペラジン０．８９部を添加した後、９０〜９５℃に加熱し、炭酸ナトリウム水溶液の添加によりｐＨ値を８〜９に保持しながら１６時間撹拌した。
得られた反応液を２０〜３０℃まで冷却後、塩化ナトリウムの添加により塩析し、析出した固体を濾過分取してウェットケーキを得た。このウェットケーキを水４００部に溶解した。この溶液にメタノール５０部、次いで２−プロパノール８００部を加え、３０分間撹拌した。析出した固体を濾過分取することによりウェットケーキを得た。得られたウェットケーキを再度水２００部に溶解し、２−プロパノール８００部を添加し、析出した固体を濾過分取し、乾燥することにより、下記式（４２）で表されるアゾ化合物（λｍａｘ：４３６ｎｍ）１３．５部をナトリウム塩として得た。【０１８５】
【化４２】
2012002277.tif 000054
【０１８６】
［実施例１乃至４、及び比較例１］
［（Ａ）インクの調製］
下記表１１に記載した各成分を混合することにより、本発明及び比較用のインク組成物をそれぞれ得た後、０．４５μｍのメンブランフィルタで夾雑物を濾別することにより、試験用のインクを得た。このインクの調製をそれぞれ実施例１乃至４、及び比較例１とする。得られた本発明のインクは、貯蔵中、沈殿分離を生じることなく、また長期間の保存後においても物性の変化は生じなかった。
また、以下の各実施例及び比較例において、インクの調製にはイオン交換水を使用した。インクの調製時においては、各インクのｐＨを８〜１０に調整する目的で、適宜水酸化リチウムを用い、イオン交換水を加えることにより総量１００部とした。【０１８７】
【表１１】
2012002277.tif 000055
【０１８８】
上記表１１について記載する。
表中、色素（Ｉ）、（ＩＩ）、（ＩＩＩ）は、本発明のインク組成物中に含有される、色素（Ｉ）、色素（ＩＩ）、及び色素（ＩＩＩ）にそれぞれ対応する。各色素の欄は破線により上下に２分割されており、上欄に記載の括弧付きの番号は、本実施例中に記載の化合物の式番号に対応しており、下欄には用いた部数を記載した。また、色素欄以外の、水溶性有機溶剤、各添加剤等の欄中に記載の数字は、いずれも組成物中における部数を記載した。
なお、表中の略号は以下の意味を表す。
ＧＬＹ：グリセリン
ＮＭＰ：Ｎ−メチル−２−ピロリドン
ＩＰＡ：イソプロパノール
ＢＣＴＬ：ブチルカルビトール
ＥＤＴＡ・２Ｎａ：エチレンジアミン四酢酸二ナトリウム
ＳＵＲＦ：商品名サーフィノールＲＴＭ  日信化学社製【０１８９】
上記表１１中、比較例に用いた色素（４３）、（４４）、及び（４５）について記載する。
これらの化合物は国際公開第２００７／０７７９３１号に開示された方法を追試することで、下記式（４３）乃至（４５）で表される化合物のナトリウム塩をそれぞれ得た。これらの色素を用いて表１１に記載のインクを調製することで得たインクを比較例１とした。【０１９０】
【化４３】
2012002277.tif 000056
【０１９１】
【化４４】
2012002277.tif 000057
【０１９２】
【化４５】
2012002277.tif 000058
【０１９３】
［（Ｂ）インクジェット記録］
上記の各実施例及び各比較例で得たそれぞれのインクを使用し、Ｃａｎｏｎ社製インクジェットプリンタ、商品名「ＰＩＸＵＳＲＴＭ  ｉＰ４５００」により、光沢紙であるヒューレットパッカート社製、商品名「写真用紙アドバンストフォトペーパーＲＴＭ＜高光沢＞」にインクジェット記録を行った。インクジェット記録の際は、１００％、８０％、６０％、４０％、２０％、１０％濃度の６段階の階調が得られるように画像パターンを作り、濃黒色〜淡黒色のグラデーションの記録物を得た。得られた記録物は印刷後２４時間以上室温で乾燥させ、これを試験片として各種評価に用いた。【０１９４】
［（Ｃ）記録画像の評価］
上記のようにして得た各試験片を２種類の耐オゾンガス性試験に用いた。
記録画像の測色は、いずれもＧＲＥＴＡＧ−ＭＡＣＢＥＴＨ社製の測色機、商品名「ＳｐｅｃｔｒｏＥｙｅ」を用いて行った。測色する際は、いずれも濃度基準にＤＩＮ  ＮＢ、視野角２°、光源Ｄ６５の条件で行った。
耐オゾンガス性試験では、試験前の記録画像のブラック反射濃度Ｄｋ値が１．２〜１．５の範囲にある階調部分を測色することにより測定した。具体的な試験方法は下記の通りである。【０１９５】
１）耐オゾンガス性試験−１
スガ試験機社製、商品名「オゾンウェザオメーター」に試験片を設置し、オゾン濃度１０ｐｍ、湿度５０％ＲＨ、温度２３℃の条件下で２４時間放置した。オゾン暴露前及び暴露後の各試験片の記録画像について、ＣＩＥのＬ＊、ａ＊、ｂ＊を測定し、下記式により色差ΔＥを算出した。なお、下記計算式中、ΔＬ＊、Δａ＊、及びΔｂ＊は、それぞれ暴露前後のＬ＊、ａ＊、及びｂ＊の差をそれぞれ意味する。
ΔＥ＝（ΔＬ＊２＋Δａ＊２＋Δｂ＊２）１／２
試験結果は、以下の基準で評価を行った。オゾン暴露前後でのΔＥが小さいものが試験前後の色変化が少なく優れた結果を表す。
評価結果を表１２に示す。
Ａ：ΔＥが７．０未満
Ｂ：ΔＥが７．０以上８．０未満
Ｃ：ΔＥが８．０以上１０．０未満
Ｄ：ΔＥが１０．０以上【０１９６】
２）耐オゾンガス性試験−２
スガ試験機社製、商品名「オゾンウェザオメーター」に試験片を設置し、オゾン濃度１０ｐｍ、湿度５０％ＲＨ、温度２３℃の条件下で４８時間放置した。オゾン暴露前及び暴露後の各試験片の記録画像について、ＣＩＥのＬ＊、ａ＊、ｂ＊を測定し、下記式により色差ΔＥを算出した。なお、下記計算式中、ΔＬ＊、Δａ＊、及びΔｂ＊は、それぞれ暴露前後のＬ＊、ａ＊、及びｂ＊の差をそれぞれ意味する。
評価結果を表１２に示す。
Ａ：ΔＥが１２．０未満
Ｂ：ΔＥが１２．０以上１５．０未満
Ｃ：ΔＥが１５．０以上１８．０未満
Ｄ：ΔＥが１８．０以上【０１９７】
【表１２】
2012002277.tif 000059
【０１９８】
表１２の結果より明らかなように、各実施例のインクは、全ての試験項目において非常に優れた結果を示した。
具体的には、各実施例のインクは、比較例１のインクと比較してオゾンガスの暴露に対する色変化がいずれも少なく、耐オゾンガス性に優れる印刷画像を与えることが明らかである。【０１９９】
上記「（Ａ）インクの調製」と同様にして下記表１３に記載した各成分を混合することにより、本発明及び比較用のインク組成物をそれぞれ得た後、０．４５μｍのメンブランフィルタで夾雑物を濾別することにより、試験用のインクを得た。このインクの調製をそれぞれ実施例１乃至４、及び比較例２乃至５とする。なお、表１３中の略号は、表１１と同じものを示す。【０２００】
【表１３】
2012002277.tif 000060
【０２０１】
上記「（Ｂ）インクジェット記録」と同様にして、各実施例及び比較例２乃至４で得たそれぞれのインクを使用し、Ｃａｎｏｎ社製インクジェットプリンタ、商品名「ＰＩＸＵＳＲＴＭ  ｉＰ４５００」により、光沢紙である富士フィルム社製、商品名「画彩写真仕上げＰｒｏＲＴＭ＜高光沢＞」にインクジェット記録を行った。インクジェット記録の際は、最も濃く印刷される１００％濃度階調が得られるように画像パターンを作り、黒色の記録物を得た。得られた記録物は印刷後２４時間以上室温で乾燥させ、これを試験片として各種評価に用いた。【０２０２】
上記「（Ｃ）記録画像の評価」と同様に、ＧＲＥＴＡＧ−ＭＡＣＢＥＴＨ社製の測色機、商品名「ＳｐｅｃｔｒｏＥｙｅ」を用いて彩度試験を行った。測色する際は、いずれも濃度基準にＤＩＮ  ＮＢ、視野角２°、光源Ｄ６５の条件で行った。【０２０３】
４）彩度試験
黒色の色相の品質を評価するため、印刷した各試験片の、彩度Ｃ＊値を評価した。評価する際は上記測色システムを用いて、ＣＩＬのＬ＊、ａ＊、ｂ＊を測色し、下記式を用いて算出した。
Ｃ＊＝（ａ＊２＋ｂ＊２）１／２
試験結果は、以下の基準で評価を行った。評価結果を表１４に示す。Ｃ＊値は小さい方（０に近い方）が無彩色で色味の無い高品質の黒色に近づくため優れる。
Ａ：Ｃ＊値が５未満
Ｂ：Ｃ＊値が５以上８未満
Ｃ：Ｃ＊値が８以上１０未満
Ｄ：Ｃ＊値が１０以上【０２０４】
【表１４】
2012002277.tif 000061
【０２０５】
表１４の結果より明らかなように、各実施例のインクは各比較例のインクと比べ、優れた結果を示した。
具体的には、比較例２乃至４のように、色素（Ｉ）、色素（ＩＩ）のどちらか一方からなるインクや、比較例５のように、色素（Ｉ）と色素（ＩＩ）との両者からなるインクでは、ニュートラルで且つ無彩な黒色の色相を与えず、黒色の品質としては不適切であることが明らかである。
一方、本発明の色素（Ｉ）、色素（ＩＩ）、及び色素（ＩＩＩ）を含有する各実施例のインクは、得られた彩度がいずれも５以下であり、より無彩色なブラックで高品位な黒色色相の記録画像を与えることが明らかである。【０２０６】
以上の結果から、いずれも特定の色素（Ｉ）乃至（ＩＩＩ）の３種類の色素を含有する本発明のインク組成物は、従来の黒色インク組成物と比較して、インクジェット記録画像に要求される各種の堅牢性、特に耐オゾンガス性に極めて優れ、また印字濃度も十分に高く、また彩度が低く色味のないニュートラルな高品質の、黒色の記録画像を与えることが判明した。
【産業上の利用可能性】
【０２０７】
本発明のインク組成物はインクジェット記録用、筆記用具用等の各種記録用、特にインクジェット記録用のブラックインク液として好適である。
【国際調査報告】
2012002277.tif 000069
2012002277.tif 000070
2012002277.tif 000071
2012002277.tif 000072